(57)【要約】【課題】配線を適切に保護する配線保護カバーを提供する。【解決手段】配線保護カバー１は、底板２０、側壁３０及び仕切部材４０が一体に形成される。底板２０は、配線群１０を載せる載置面２１を有し、第１ゲート部５０から第２ゲート部６０へそれぞれの配線を導く配線路７０に沿った形状に形成される。側壁３０は、底板２０の載置面２１の外縁に立設される。仕切部材４０は、底板２０の載置面２１に立設され、配線を分離容易に区別し案内する。一つの第２ゲート部６０から取り出される配線を収容する配線路７０は、当該第２ゲート部６０近傍において、最も側壁３０側になるように形成される。これにより、配線保護カバー１の体格を小さくし、配線を適切に保護することができる。【選択図】  図３
2010178434.tif 000002
【特許請求の範囲】
【請求項１】
複数の配線の始端が特定の位置に集中し、前記複数の配線の終端が配線毎に目的の位置に散在する配線群を収容する配線保護カバーであって、
前記配線群を載せる載置面を有し、前記特定の位置から前記目的の位置へ前記配線を導く配線路に沿った形状に形成される底板と、
前記底板の前記載置面に立設され、配線を分離容易に区別し案内する仕切部材と、
前記底板の外縁に当該底板と一体に形成される側壁と、
前記配線群の前記始端を外部へ取り出し可能に構成される第１ゲート部と、
前記側壁を切り欠いて形成され、前記配線群の前記終端を外部へ取り出し可能に構成される複数の第２ゲート部と、
を備え、
一つの前記第２ゲート部から取り出される前記配線を収容する前記配線路は、当該第２ゲート部近傍において最も前記側壁側に設けられることを特徴とする配線保護カバー。
【請求項２】
前記第２ゲート部は、配索先が近い複数の配線を取り出し可能に構成されることを特徴とする請求項１に記載の配線保護カバー。
【請求項３】
前記底板は、前記配線路が分岐する分岐部を有する請求項１または２に記載の配線保護カバー。
【請求項４】
前記底板は、前記配線路が集合する集合部を有する請求項１〜３のいずれか一項に記載の配線保護カバー。
【請求項５】
前記仕切部材及び前記側壁の少なくとも一方は、前記底板と反対側の端部に当該底板と対向する爪部を有することを特徴とする請求項１〜４のいずれか一項に記載の配線保護カバー。
【請求項６】
前記爪部は、前記配線路が曲線状である位置に形成されることを特徴とする請求項５に記載の配線保護カバー。
【請求項７】
前記底板は、剛性を低下させるための穴部を有することを特徴とする請求項１〜６のいずれか一項に記載の配線保護カバー。
【請求項８】
前記穴部は、前記仕切部材及び前記側壁の少なくとも一方の前記底板と反対側の端部に形成される爪部と対向する位置に形成されることを特徴とする請求項７に記載の配線保護カバー。
【請求項９】
前記穴部は、前記配線路に沿った形状に形成されることを特徴とする請求項７または８に記載の配線保護カバー。
【請求項１０】
複数の配線からなる配線群を収容する配線保護カバーであって、
前記配線群を載せる載置面を有し、配線を導く配線路に沿った形状に形成される底板と、
前記底板の外縁に当該底板と一体に形成される側壁と、
前記配線群の前記始端を外部へ取り出し可能に構成される第１ゲート部と、
前記側壁を切り欠いて形成され、前記配線群の前記終端を外部へ取り出し可能に構成される複数の第２ゲート部と、
を備え、
前記底板は、剛性を低下させるための穴部を有することを特徴とする配線保護カバー。
【請求項１１】
前記穴部は、前記配線路に沿った形状に形成されることを特徴とする請求項１０に記載の配線保護カバー。
【請求項１２】
前記底板の前記載置面に立設され、各配線を分離容易に区別し案内する仕切部材を備えることを特徴とする請求項１０または１１に記載の配線保護カバー。
【請求項１３】
前記仕切部材及び前記側壁の少なくとも一方は、前記底板と反対側の端部に当該底板と対向する爪部を有することを特徴とする請求項１２に記載の配線保護カバー。
【請求項１４】
前記爪部は、前記配線路が曲線状である位置に形成されることを特徴とする請求項１３に記載の配線保護カバー。
【請求項１５】
前記爪部は、前記穴部と対向する位置に形成されることを特徴とする請求項１３または１４に記載の配線保護カバー。
【発明の詳細な説明】
【技術分野】
【０００１】
本発明は、電気配線を保護する配線保護カバーに関する。
【背景技術】
【０００２】
従来、車両に用いられる配線には、配線保護カバーを設けることが公知である（例えば、特許文献１〜３参照）。特に、自動変速装置内部に配線を用いる場合、レイアウト上の問題から、接触による配線切れ、ボルト締め付け時の挟み込みによる被覆破れ、および他部品との干渉による組み付け不良を防止するために、配線保護カバーを設けることが好ましい。
【先行技術文献】
【特許文献】
【０００３】
【特許文献１】特許第３１７８２８０号公報
【特許文献２】実開昭６４−７９７９号公報
【特許文献３】特開平９−９４６５号公報
【発明の概要】
【発明が解決しようとする課題】
【０００４】
しかしながら、特許文献１に記載された配線固定装置によって配線を保護する場合、完全に保護するには、コ字状の２部品を用いて配線を挟み込む必要があり、部品点数が増大する。また、特許文献２に記載されたクランプ装置は、１つの溝に１つの配線を収容する構造であるため、複数の配線を保護する場合、保護部材の体格が大きくなるという問題点があった。
【０００５】
また、配線保護カバーは、配線を組み付けやすく、かつ、振動等によって配線が抜けにくいことが好ましい。そこで、配線を抜けにくくする抜け止め構造を有する配線保護カバーが提案されている（例えば、特許文献２、３参照）。しかしながら、特許文献２に記載されたクランプ装置では、クランプ部本体の剛性が高く、配線を組み付ける際に必要な荷重が大きく、組み付け性が悪い、という問題点があった。また、特許文献３に記載された配線構造では、配線保護カバーに抜け止めを設けているものの、抜け止め機能が弱く、振動によって電気配線が抜けてしまう虞があった。
【０００６】
本発明は上述した問題を解決するためになされたものであり、その目的は、配線を適切に保護する配線保護カバーを提供することにある。
【課題を解決するための手段】
【０００７】
請求項１に記載の配線保護カバーは、複数の配線の始端が特定の位置に集中し、複数の配線の終端が配線毎に目的の位置に散在する配線群を収容するものである。底板は、配線群を載せる載置面を有し、特定の位置から目的の位置へ配線を導く配線路に沿った形状に形成される。仕切部材は、底板の載置面に立設され、配線を分離容易に区別し案内する。側壁は、底板の外縁に当該底板と一体に形成される。第１ゲート部は、配線群の始端を取り出し可能に構成される。複数の第２ゲート部は、側壁を切り欠いて形成され、配線群の終端を外部へ取り出し可能に構成されている。
【０００８】
請求項１に記載の配線保護カバーは、配線路に沿った形状に形成されているので、無駄な部分がなく、配線保護カバーの体格を小さくことができる。特に本発明では、一つの第２ゲート部から取り出される配線を収容する配線路は、当該第２ゲート部近傍において最も側壁側に設けられている。すなわち、第２ゲート部から配線を取り出す毎に、取り出された配線を収容する配線路が途絶えるので、第１ゲート部から離れるほど並列する配線路の数が少なくなる。したがって、配線保護カバーの体格を小さくすることができる。さらに、仕切部材を設けることにより、配線を整列させて組み付けることができるので、組み付け性が向上する。したがって、配線を適切に保護することができる。なお、配線保護カバーは、配索先近傍まで形成されることが望ましいが、配線を保護可能な程度に形成されていればよい。
【０００９】
請求項２に記載の配線保護カバーの第２ゲート部は、配索先が近い複数の配線を取り出し可能に構成される。これにより、１つの第２ゲート部から１つの配線を取り出す構成と比較して、配線保護カバーの構成を簡素化し、体格を小さくすることができる。
請求項３に記載の配線保護カバーの底板は、配線路が分岐する分岐部を有している。また、請求項４に記載の配線保護カバーの底板は、配線路が集合する集合部を有している。当該構成のように、配線の配索先に応じて配線路を分岐、あるいは集合させて配線保護カバーを形成することにより、適切に配線を保護することができる。
【００１０】
請求項５に記載の配線保護カバーの仕切部材及び側壁の少なくとも一方は、底板と反対側の端部に底板と対向する爪部を有している。爪部を設けることにより、組み付けた配線が振動等により抜けにくくなる。また、別体の抜け止め部材が不要になるため、部品点数を低減できる。なお、爪部は、組み付けた配線の抜け止め効果を発揮できればよく、底部と平行に構成される他、平行から所定の角度範囲で構成可能である。
請求項６に記載の配線保護カバーの爪部は、配線路が曲線状である位置に形成される。これにより、配線が抜けやすい曲線部において、組み付けた配線が振動等により抜けにくくなる。
【００１１】
請求項７に記載の配線保護カバーの底板は、剛性を低下させるための穴部を有する。これにより、配線保護カバーの剛性が低下するので、配線を組み付ける際に配線保護カバーがしなりやすくなり、組み付け性が向上する。
請求項８に記載の配線保護カバーの底板に形成される穴部は、爪部と対向する位置に形成される。穴部が爪部と対向する位置に設けられているので、配線保護カバーの剛性が低下し、配線を組み付ける際に配線保護カバーがしなりやすくなり、組み付け性が向上すると同時に、配線保護カバーを製造する際、金型を爪部の上下から抜くことができる。これにより、配線保護カバーの破損や金型の摩耗を低減することができる。
【００１２】
請求項９に記載の配線保護カバーの底板に形成される穴部は、配線路に沿った形状に形成される。穴部は配線路に沿って形成されているので、配線保護カバーは配線路に沿ってしなりやすいため、組み付け性が向上する。
【００１３】
請求項１０に記載の配線保護カバーは、複数の配線からなる配線群を収容する。底板は、配線群を載せる載置面を有し、配線を導く配線路に沿った形状に形成される。側壁は、底板の外縁に当該底板と一体に形成される。第１ゲート部は、配線群の始端を外部へ取り出し可能に構成される。複数の第２ゲート部は、側壁を切り欠いて形成され、配線群の終端を外部へ取り出し可能に構成される。ここで特に、底板は、剛性を低下させるための穴部を有する。これにより、配線保護カバーの剛性が低下するので、配線を組み付ける際に配線保護カバーがしなりやすくなり、組み付け性が向上する。したがって、適切に配線を保護することができる。
【００１４】
請求項１１に記載の配線保護カバーの穴部は、配線路に沿った形状に形成される。穴部は配線路に沿って形成されているので、配線保護カバーは配線路に沿ってしなりやすいため、組み付け性が向上する。
【００１５】
請求項１２に記載の配線保護カバーは、底板の載置面に立設され、各配線を分離容易に区別し案内する仕切部材を備えている。仕切部材を設けることにより、配線を整列させて組み付けることができるので、組み付け性が向上する。なお、仕切部材は、配線保護カバーのしなりやすさを確保するため、剛性の低い薄い壁であることが好ましい。
【００１６】
請求項１３に記載の配線保護カバーの仕切部材及び側壁の少なくとも一方は、底板と反対側の端部に当該底板と対向する爪部を有する。爪部を設けることにより、組み付けた配線が振動等により抜けにくくなる。また、別体の抜け止め部材が不要になるため、部品点数を低減できる。なお、爪部は、組み付けた配線の抜け止め効果を発揮できればよく、底部と平行に構成される他、平行から所定の角度範囲で構成可能である。
請求項１４に記載の配線保護カバーの爪部は、配線路が曲線状である位置に形成される。これにより、配線が抜けやすい曲線部において、組み付けた配線が振動等により抜けにくくなる。
【００１７】
請求項１５に記載の配線保護カバーの爪部は、穴部と対向する位置に形成される。爪部が穴部と対向する位置に設けられているので、配線保護カバーを製造する際、金型を爪部の上下から抜くことができる。これにより、配線保護カバーの破損や金型の摩耗を低減することができる。
【図面の簡単な説明】
【００１８】
【図１】本発明の第１実施形態による配線保護カバーの底面図である。
【図２】図１のＩＩ方向から見た側面図である。
【図３】本発明の第１実施形態による配線保護カバーの平面図である。
【図４】本発明の第１実施形態による配線保護カバーに配線群を収容したときの底面図である。
【図５】図４のＶ方向から見た側面図である。
【図６】図３のＶＩ−ＶＩ線断面を示す断面図である。
【図７】図３のＶＩＩ−ＶＩＩ線断面を示す断面図である。
【図８】本発明の第１実施形態による配線保護カバーを製造するときに用いる金型の断面図である。
【図９】本発明の第２実施形態による配線保護カバーの底面図である。
【発明を実施するための形態】
【００１９】
以下、本発明による配線保護カバーを図面に基づいて説明する。
（第１実施形態）
本発明の第１実施形態は、車両の自動変速装置の内部に用いられる配線保護カバーに適用したものである。この配線保護カバーは、自動変速装置の図示しない油圧制御装置のロア配線を収容するのに用いられ、油圧制御装置の下端部にボルトなどによって固定される。
図１〜３は配線保護カバーのみを示したものであり、図４及び図５は、配線保護カバー１に配線２を収容した状態を示すものである。配線保護カバー１は、複数の配線１１からなる配線群１０を収容するものである。
【００２０】
図１〜５に示すように、配線保護カバー１は、例えばナイロン６６（登録商標）などの樹脂により底板２０、側壁３０、及び仕切部材４０が一体に形成されている。また、配線保護カバー１に収容された配線群１０の始端１２を取り出し可能に構成される第１ゲート部５０、及び配線群１０の終端１３を取り出し可能に構成される複数の第２ゲート部６０を有している。配線群１０を構成するそれぞれの配線１１の終端１３は、対応する配索先に接続するためのコネクタ１５を有している。そして、第１ゲート部５０から複数の第２ゲート部６０へ複数の配線１１を導く配線路７０が、底板２０、側壁３０、及び仕切部材４０によって形成されている。
【００２１】
底板２０は、配線群１０を載せる載置面２１を有している。底板２０は、配線路７０に沿った形状に形成され、配線路７０が分岐する分岐部２２、及び配線路７０が集合する集合部２３を有している。本実施形態においては、配線１１は側壁３０に形成された第２ゲート部６０から取り出されるので、それぞれの配線１１が取り出されるべき第２ゲート部６０近傍において最も外側の配線路７０に収容されるように、分岐部２２及び集合部２３が設けられている。分岐部２２において分岐した箇所の間には、配線保護カバー１を補強するための補強部材２６が設けられている。
【００２２】
また、底板２０は、複数の穴部２４を有している。穴部２４は、配線路７０に沿って並んで形成されている。本実施形態において、配線路７０が略直線上である位置に形成された穴部２４は、略長方形に形成される。
側壁３０は、配線路７０に沿って延びる底板２０の載置面２１の両縁に立ち上がるように設けられる。側壁３０は、底板２０の板面上に外方向に突出するステー３１が設けられている。ステー３１は、配線保護カバー１を油圧制御装置の下端部にボルトにより固定するのに用いられる。
【００２３】
仕切部材４０は、底板２０の載置面２１に側壁３０の内側に立ち上がるように設けられる。図３に示すように、仕切部材４０は、配線路７０の延びる方向に連続部分と不連続部分を有する。仕切部材４０は、配線１１を整列させ、それぞれの配線１１の終端１３が取り出される第２ゲート部６０まで分離容易に区別し、案内可能な程度に設けられている。
【００２４】
第１ゲート部５０は、配線保護カバーに収容される配線群１０の始端１２を取り出し可能に構成されている。第１ゲート部５０から取り出された配線群１０の始端１２は、例えば図示しない自動変速機（ＡＴ）ＥＣＵに接続される。
第２ゲート部６０は、側壁３０を切り欠いて形成され、配索先が近い複数の配線１１の終端１３を取り出し可能に構成されている。第２ゲート部６０は、それぞれの配線１１の配索先に基づいて、取り出しやすい位置に設けられている。第２ゲート部６０から取り出された配線群１１の終端１３は、油圧制御用のアクチュエータ等、それぞれの配索先に接続される。
【００２５】
配線路７０は、底板２０の載置面２１に設けられている。一つの第２ゲート部６０から取り出される配線１１を収容する配線路７０は、当該第２ゲート部６０近傍において、最も側壁３０側になるように形成されている。すなわち、第１ゲート部５０から第２ゲート部６０までの長さと配索先の位置とに基づいて、底板２０の形状と配線路７０の並び順が決められている。例えば、第１ゲート部５０から第２ゲート部６０までの距離が短い配索路７０から順に、外側から並ぶように構成する、といった具合である。
【００２６】
ここで、図６及び図７に配線保護カバー１の断面図を示す。図６は、底板２０に穴部２４がない部分であるＶＩ−ＶＩ線断面を示す断面図である。図７は、底板２０に穴部２４がある部分であるＶＩＩ−ＶＩＩ線断面を示す断面図である。図６及び図７はいずれも、（Ａ）は配線保護カバー１のみの断面図を示し、（Ｂ）は配線路７０に配線１１を収容したときの断面図を示す。
【００２７】
図６に示すように、配線保護カバー１は、底板２０の載置面２１、側壁３０、及び仕切部材４０によって構成される配線路７０を有している。ここでは、３つの配線路７０が並んで形成されている。図６（Ｂ）に示すように、１つの配線路７０には、配索先が近い２本の配線１１が重なって収容されている。
図７に示すように、側壁３０及び仕切部材４０の底板２０と反対側の端部には、爪部４５が形成されている。本実施形態においては、爪部４５は、穴部２４と対向する位置に形成されている。
【００２８】
配線保護カバー１を製造する際に用いられる金型の断面図を図８に示す。図８に示す金型９０の断面図は。図７に示した爪部４５が設けられた位置の断面図である。本実施形態の配線保護カバー１の爪部４５は、穴部２４と対向する位置に設けられているので、爪部４５の上下から金型９０を抜くことができる。これにより、金型９０から配線保護カバー１を取り出す際に、配線保護カバー１に生じる破損を低減することができる。また、金型９０の摩耗を防止することができる。
【００２９】
以上詳述したように、本実施形態による配線保護カバー１は、底板２０、側壁３０及び仕切部材４０が一体に形成される。底板２０は、配線群１０を載せる載置面２１を有し、第１ゲート部５０から第２ゲート部６０へそれぞれの配線１１を導く配線路７０に沿った形状に形成されている。側壁３０は、底板２０の外縁の載置面２１側に立設される。
【００３０】
配線保護カバー１は、配線路７０に沿った形状に形成されているので、体格を小さくすることができる。本実施形態においては、配線路７０が分岐する分岐部２２及び集合部２３を有している。配線１１の配索先に応じて適切に配線路７０を分岐、あるいは集合させて配線保護カバー１を形成しているので、適切に配線１１を保護することができる。
【００３１】
特に、本実施形態においては、一つの第２ゲート部６０から取り出される配線１１は、当該第２ゲート部６０近傍において最も側壁２０側に形成された配線路７０に収容される。第２ゲート部６０から配線１１を取り出すと、最も側壁２０に近い配線路７０、すなわち、当該第２ゲート部６０から取り出された配線１１を収容していた配線路７０、が途絶えるので、第１ゲート部５０から離れるほど並列する配線路７０の数が少なくなり、体格が小さくなる。したがって、配線保護カバー１の体格を小さくすることができる。
【００３２】
配線保護カバー１は、底板２０の載置面２１に立設され、配線１１を分離容易に区別し、第２ゲート部６０へ案内する仕切部材４０を備えている。これにより、配線１１を整列させて組み付けることができるので、組み付け性が向上する。したがって、適切に配線１１を保護することができる。
【００３３】
第２ゲート部６０は、配索先が近い複数の配線１１を取り出し可能に構成されている。これにより、１つの第２ゲート部６０から１つの配線１１を取り出す構成と比較して、配線保護カバー１の構成を簡素化し、体格を小さくすることができる。
【００３４】
底板２０には、配線路７０に沿った形状に形成される穴部２４を有している。これにより、配線保護カバー１の剛性が低下するので、配線保護カバー１がしなりやすくなり、組み付け性が向上する。
【００３５】
仕切部材４０及び側壁３０の底板２０と反対側の端部には、底板２０と対向する爪部４５を有している。これにより、組み付けた配線１１が振動等により抜けにくくなる。また、別体の抜け止め部材が不要になるため、部品点数を低減できる。さらに、爪部４５は、穴部２４と対向する位置に設けられている。これにより、配線保護カバー１を製造する際、金型９０を爪部４５の上下から抜くことができる。これにより、配線保護カバー１の破損や金型９０の摩耗を低減することができる。
【００３６】
（第２実施形態）
図９は、第２実施形態による配線保護カバー２の底面図である。なお、第１実施形態と同じ、もしくは同等の構成には同一の符号を付し、説明を繰り返さない。
図９に示すように、底板２０の曲線部２５に穴部２４を設ける場合には、穴部２４の形状は弧状である。曲線部２５に穴部を設けることにより、配線保護カバーの剛性が低下するので曲線部２５への配線の組み付け性が向上する。また、穴部２４と対向する仕切部材または側壁の端部に爪部を設けることにより、曲線部２５において組み付けられた配線１１が振動等により抜けにくくなる。
【００３７】
（他の実施形態）
上記複数の実施形態の配線保護カバーは、底板と反対側は開放されている構成であったが、他の実施形態では、配線を収容した後に配線保護カバーの一部または全部を覆う蓋部材を設けてもよい。蓋部材は、例えばスナップフィット式にて固定することができる。また蓋部材は、配線保護カバーと一体に形成されることが好ましいが、別体であっても良い。
上記複数の実施形態では、側壁および仕切部材の底板と反対側の端部に爪部を形成したが、他の実施形態では、爪部にかえて、側壁および仕切部材の底板と反対側の端部を熱かしめすることによって変形させ、抜け止め部材としてもよい。
【００３８】
他の実施形態では、側壁および仕切部材に、配線路側に突出する凸部を所定の間隔で設けることにより、配線を千鳥構造となるように組み付けてもよい。このようにしても配線の抜け止めの効果を発揮する。
また、上記実施形態の配線保護カバーは、自動変速装置の油圧制御装置のロア配線を収容するものであったが、アッパー配線、あるいは自動変速装置内の他の配線を収容してもよい。
【００３９】
以上、本発明は、上記実施形態になんら限定されるものではなく、発明の趣旨を逸脱しない範囲において種々の形態で実施可能である。
【符号の説明】
【００４０】
１：配線保護カバー、１０：配線群、１１：配線、１２：始端、１３：終端、２０：底板、２１：載置面、２２：分岐部、２３：集合部、２４：穴部、２５：曲線部、３０：側壁、４０：仕切部材、４５：爪部、５０：第１ゲート部、６０：第２ゲート部、７０：配線路
【図１】
2010178434.tif 000003
【図２】
2010178434.tif 000004
【図３】
2010178434.tif 000005
【図４】
2010178434.tif 000006
【図５】
2010178434.tif 000007
【図６】
2010178434.tif 000008
【図７】
2010178434.tif 000009
【図８】
2010178434.tif 000010
【図９】
2010178434.tif 000011